(57)【要約】      （修正有）【課題】手先の不自由な人や高齢者でも容易に箸を使用できるとともに、外出先で食事をする時に、全長が短くなるとともに収納ケースも必要としないので、簡単に持ち歩くことができる補助具付き箸の提供。【解決手段】携帯時には把持部材２の把持部が鞘４内に収納され、使用時は把持部材２の後部が鞘４の前部に固定されて箸を構成する。また、一対の固定部１Ｂを屈曲可能なバネ部１Ａにより一体に連結して補助具１を構成する。この固定部１Ｂにそれぞれ鞘４を取り付けて補助具付箸を構成する。【選択図】図１
0003119924.tif 000002
【実用新案登録請求の範囲】
【請求項１】
携帯時には把持部材の把持部が鞘内に収納され、使用時は把持部材の後部が鞘の前部に固定されて使用する携帯可能な箸において、一対の固定部を屈曲可能なバネ部により一体に連結して補助具を構成し、前記固定部にそれぞれ前記鞘を取り付けたことを特徴とする補助具付箸。
【請求項２】
一対の固定部とバネ部材を合成樹脂で一体成形して補助具を構成したことを特徴とする請求項１記載の補助具付箸。
【請求項３】
携帯時には把持部材の把持部が鞘内に収納され、使用時は把持部材の後部が鞘の前部に固定されて使用する携帯可能な箸において、一対の固定部材を屈曲可能なバネ部材の両側にそれぞれ固定して補助具を構成し、前記固定部材にそれぞれ前記鞘を取り付けたことを特徴とする補助具付箸。
【請求項４】
バネ部材をバネ性を有した金属で構成したことを特徴とする請求項３記載の補助具付箸。
【請求項５】
木製の把持部材の後部に金属製のコネクターを取り付け、使用時はコネクターの後部雄ネジ部が鞘の雌ネジ部に螺合されて使用し、携帯時にはコネクターの前部雄ネジ部が鞘の雌ネジ部に螺合されて把持部材が鞘内に収納されて携帯することを特徴とする請求項１乃至４のいずれか１項に記載の補助具付箸。
【考案の詳細な説明】
【技術分野】
【０００１】
本考案は、持ち運びに便利で、繰り返し使用できるとともに、手先が不自由な人や高齢者でも容易に使用できる補助具付箸に関するものである。
【背景技術】
【０００２】
従来、逆Ｕ字状に屈曲するバネ部材の両辺の外面側に、箸の中間部に係止する係止部材を設けた箸の把持補助具が知られている。（特許文献１参照）
【特許文献１】特開平１０−１０８７７５号公報（図１参照）
【考案の開示】
【考案が解決しようとする課題】
【０００３】
しかしながら、上記した箸の把持補助具は、箸を取り付けて携帯しようとした場合には、箸が開いた状態となり、かさばってしまって携帯するには非常に不便であった。しかし、手先の不自由な人や高齢者にとっては、外出先で食事をする時にこそこのような補助具が付いた箸を必要としていた。
本考案は、上記課題を解消する補助具付箸を提供することを目的とするものである。
【課題を解決するための手段】
【０００４】
本考案は、携帯時には把持部材の把持部が鞘内に収納され、使用時は把持部材の後部が鞘の前部に固定されて使用する携帯可能な箸において、一対の固定部を屈曲可能なバネ部により一体に連結して補助具を構成し、前記固定部にそれぞれ前記鞘を取り付けたことを第１の要旨とする。
【０００５】
また、一対の固定部とバネ部材を合成樹脂で一体成形して補助具を構成したことを第２の要旨とする。
【０００６】
更に、携帯時には把持部材の把持部が鞘内に収納され、使用時は把持部材の後部が鞘の前部に固定されて使用する携帯可能な箸において、一対の固定部材を屈曲可能なバネ部材の両側にそれぞれ固定して補助具を構成し、前記固定部材にそれぞれ前記鞘を取り付けたことを第３の要旨とする。
【０００７】
更にまた、バネ部材をバネ性を有した金属で構成したことを第４の要旨とする。
【０００８】
更にまた、木製の把持部材の後部に金属製のコネクターを取り付け、使用時はコネクターの後部雄ネジ部が鞘の雌ネジ部に螺合されて使用し、携帯時にはコネクターの前部雄ネジ部が鞘の雌ネジ部に螺合されて把持部材が鞘内に収納されて携帯することを第５の要旨とする。
【考案の効果】
【０００９】
本考案の補助具付箸は、屈曲可能なバネ部を有した補助具に箸の鞘が取り付けられているので、手先の不自由な人や高齢者でも容易に箸を使用できるとともに、特に外出先で食事をする時に携帯し易く、また、箸箱といった収納ケースも必要としないので簡単に持ち歩くことができるという利点がある。
【考案を実施するための最良の形態】
【００１０】
使用時は把持部材の後部が鞘の前部に固定されて通常の長さとなり、しかも屈曲可能なバネ部を有する補助具の固定部にそれぞれ鞘が取り付けられるので、手先が不自由な人や高齢者でも容易に使用でき、また、携帯時には鞘内に把持部材の把持部が収納され、全長が短くなって携帯し易い補助具付箸を実現した。
【実施例１】
【００１１】
図１、図２及び図３は、本考案の実施例１を示すもので、先ず、図２及び図３により本考案の補助具１を説明する。屈曲可能なバネ部１Ａの両端に固定部１Ｂを対称に形成し、この一対の固定部１Ｂのそれぞれに貫通孔１Ｃを形成するとともに、貫通孔１Ｃが拡開可能に切溝１Ｄを形成して補助具１を構成する。
【００１２】
次に箸を説明すると、木材で作製した把持部材２の後部に金属製のコネクター３をネジ接着して取り付ける。このコネクター３には、前部雄ネジ部３Ａ、ストッパー部３Ｂ及び後部雄ネジ部３Ｃが形成される。
【００１３】
ステンレスあるいはアルミ等の金属パイプからなる鞘４の前部には雌ネジ部４Ａが形成される。また、頭冠５の前部に形成された凹溝５ＡにはＯリング６が設けられている。
【００１４】
前記鞘４の後部に頭冠５を着脱可能に取り付ける。具体的には、頭冠５に取り付けられたＯリング６が鞘４の内面に摩擦嵌合されて着脱可能に取り付けられる。そして使用状態では、コネクター３の後部雄ネジ部３Ｃが鞘４の雌ネジ部４Ａに螺合して箸を構成する。
【００１５】
前記した箸を一対にし、それぞれの鞘４を前述した補助具１の固定部１Ｂに形成された貫通孔１Ｃに挿入し、貫通孔１Ｃに鞘４が嵌合されて図１に示した状態となる。
【００１６】
この状態で箸を保持し、わずかな力で補助具１のバネ部１Ａを屈曲させ互いの箸を閉じることにより食物を容易に挟むことができる。つまり、使用する人は、箸を持って広げたり閉じたりする必要がなく、単に閉じる操作をするのみで良く、広げる操作は補助具１のバネ部１Ａが行ってくれるので、手先が不自由な人や高齢者でも容易に使用することができる。しかも、食事をする場所に常に携帯できれば非常に役に立つものである。
【００１７】
また、箸を洗う場合には、鞘４よりコネクター３を外すとともに鞘４から頭冠５を外すことにより、鞘４が貫通状態となるので、鞘４の内部を簡単に洗うことができる。把持部材２ももちろん簡単に洗うことができる。
【００１８】
次に、携帯状態を図４で説明すると、コネクター３の後部雄ネジ部３Ｃを鞘４の雌ネジ部４Ａより外し、反転して把持部材２を鞘４内に収納するとともにコネクター３の前部雄ネジ部３Ａを鞘４の雌ネジ部４Ａに螺合する。すると、全長が約半分程度と短くなり、図４の状態となる。この状態では、コネクター３及び鞘４が金属製で作製されて螺合されているので、把持部材２は鞘４内で揺動することなくしっかり固定されて携帯することができる。しかも、鞘４が補助具１に取り付けられた状態でも、全長が短くなるとともに収納ケースも必要としないので、かさばらずに携帯することができる。
【実施例２】
【００１９】
図５及び図６は、本考案の実施例２の補助具を示すものである。屈曲可能なバネ部７Ａを有したバネ部材７を金属製の板バネで形成する。また、合成樹脂製で構成された固定部材８に貫通孔８Ａを形成するとともに、貫通孔８Ａが若干拡開可能に切溝８Ｂを形成する。更に、固定部材８には貫通孔８Ａと並列に連結孔８Ｃを形成する。
【００２０】
この固定部材８を一対形成し、前記バネ部材７の両端に固定部材８の連結孔８Ｃをそれぞれ挿入し、補助具を構成する。
【００２１】
この実施例２の場合には、屈曲可能なバネ部７Ａが任意に設定できるので非常に弱い力で屈曲させることができるとともに、耐久性も向上するという利点がある。
【００２２】
尚、図示していないが、把持部材とコネクターを合成樹脂で一体に成形することも可能である。
【産業上の利用可能性】
【００２３】
使用時は通常の長さとなって使用し易く、携帯時は全長が短くなるとともに把持部が鞘内に収納されて簡単に携帯でき、しかも補助部材を付けることにより手先が不自由な人や高齢者でも容易に使用できる箸に適用できる。
【図面の簡単な説明】
【００２４】
【図１】補助具付箸の使用状態を示した断面図である。（実施例１）
【図２】補助具を示した断面図である。（実施例１）
【図３】図２のＡ−Ａ線を示す断面図である。（実施例１）
【図４】補助具付箸の携帯状態を示す断面図である。（実施例１）
【図５】補助具を示す断面図である。（実施例２）
【図６】図５のＡ−Ａ線を示す断面図である。（実施例２）
【符号の説明】
【００２５】
１    補助具
１Ａ    補助具１のバネ部
１Ｂ    補助具１の固定部
２    把持部材
３    コネクター
３Ａ    コネクター３の前部雄ネジ部
３Ｃ    コネクター３の後部雄ネジ部
４    鞘
４Ａ    鞘４の雌ネジ部
７    バネ部材
８    固定部材
【図１】
0003119924.tif 000003
【図２】
0003119924.tif 000004
【図３】
0003119924.tif 000005
【図４】
0003119924.tif 000006
【図５】
0003119924.tif 000007
【図６】
0003119924.tif 000008